(57)【要約】【課題】室外機が落下等により衝撃を受けた場合であっても、衝撃力により蓄熱槽が圧縮機から分離するのを防止でき、圧縮機と蓄熱槽との間の密着性の低下を抑制でき、圧縮機が運転時に発生する熱を蓄熱槽に十分に吸収させることができる室外機を提供すること。【解決手段】筐体５と、筐体５の内部に収容され、筐体５に固定されている圧縮機１と、筐体５の内部に収容され、圧縮機１の外周表面に対して取り囲むように接する蓄熱装置２と、を備える室外機６であって、筐体５に固定され、蓄熱装置２の蓄熱槽２３の上面に当接する飛び出し防止具３を備えたことで、衝撃を受けた場合であっても、衝撃力により蓄熱槽が圧縮機から分離するのを防止できる。【選択図】図１
2012077936.tif 000002
【特許請求の範囲】
【請求項１】
筐体と、前記筐体の内部に収容され、前記筐体に固定されている圧縮機と、前記圧縮機の外周表面を取り囲むように接する蓄熱槽を具備した蓄熱装置と、を備えた室外機であって、
前記筐体に固定され、かつ、前記蓄熱槽の上面に当接することで、前記蓄熱槽が前記圧縮機から離脱するのを防止する飛び出し防止具を備えることを特徴とする室外機。
【請求項２】
前記圧縮機は前記筐体の底板に固定され、前記蓄熱槽は前記圧縮機の外周方向の一部を切り欠いた形状であり、前記飛び出し防止具は前記蓄熱槽の内壁に当接する係止片を備えていることを特徴とする請求項１に記載の室外機。
【請求項３】
請求項１または２に記載の室外機を備える空気調和機。
【発明の詳細な説明】
【技術分野】
【０００１】
本発明は、圧縮機と蓄熱装置を備えた室外機およびこれを備えた空気調和機に関する。
【背景技術】
【０００２】
従来のこの種の空気調和機では、圧縮機およびこの圧縮機から放熱される熱を蓄熱する蓄熱槽を備えた蓄熱装置を用いることが知られている（例えば、特許文献１参照）。様々な考案がなされている。
【０００３】
図４は従来の蓄熱装置を示しており、蓄熱装置１０１を構成する蓄熱槽として、少なくとも圧縮機１０２の外周表面の一部と接する形状とした金属製容器を配設し、圧縮機１０２と金属製容器との隙間にはシリコン系樹脂１０４を充填している。さらに、金属製容器の中には蓄熱材１０３を充填し、金属製容器の外表面で、少なくとも圧縮機１０２と接していない部分の一部には、断熱材１０５を配設している。
【先行技術文献】
【特許文献】
【０００４】
【特許文献１】特開平１−８３７６号公報
【発明の概要】
【発明が解決しようとする課題】
【０００５】
しかしながら、上記の圧縮機および蓄熱装置を組み込んだ室外機は、運搬や設置の際に、例えば落下等による衝撃を受けると、圧縮機と金属製容器との隙間に充填されたシリコン系樹脂に負荷が掛かり、シリコン系樹脂と圧縮機の間で、または、シリコン系樹脂と金属製容器との間で、剥離が生じる。この場合、圧縮機と蓄熱槽との密着性が低下し、その結果として、圧縮機が運転時に発生する熱を蓄熱槽が十分に吸収できなくなるおそれがあった。
【０００６】
また、圧縮機と金属製容器との隙間にシリコン系樹脂等を充填せず、金属製容器を圧縮機に対し着脱自在の構成とする場合には、室外機が落下等による衝撃を受けると、衝撃力により蓄熱槽が圧縮機から分離することがあり、その結果として、圧縮機が運転時に発生する熱を蓄熱槽が十分に吸収できなくなるおそれがあった。
【０００７】
そこで、本発明は、室外機が落下等により衝撃を受けた場合であっても、衝撃力により蓄熱槽が圧縮機から分離するのを防止でき、圧縮機と蓄熱槽との間の密着性の低下を抑制でき、圧縮機が運転時に発生する熱を蓄熱槽に十分に吸収させることができる室外機を提供することを目的とする。
【課題を解決するための手段】
【０００８】
前記従来の課題を解決するために、本発明の室外機は、筐体と、筐体の内部に収容され、筐体に固定されている圧縮機と、圧縮機の外周表面を取り囲むように接する蓄熱槽を具備した蓄熱装置と、を備えた室外機であって、筐体に固定され、かつ、蓄熱槽の上面に当接することで、蓄熱槽が圧縮機から離脱するのを防止する飛び出し防止具を備える。
【０００９】
これによって、室外機が落下等により衝撃を受けた場合であっても、飛び出し防止具が蓄熱槽の上面に当接しているので、圧縮機と蓄熱槽との分離を防止でき、圧縮機と蓄熱槽との間の密着性の低下を抑制できる。このことにより、室外機が落下等により衝撃を受けた場合であっても、圧縮機が運転時に発生する熱を蓄熱槽が十分に吸収させることができ
る。
【発明の効果】
【００１０】
本発明の室外機は、室外機が落下等により衝撃を受けた場合であっても、衝撃力により蓄熱槽が圧縮機から分離するのを防止でき、圧縮機と蓄熱槽との間の密着性の低下を抑制でき、圧縮機が運転時に発生する熱を蓄熱槽に十分に吸収させることができる。
【図面の簡単な説明】
【００１１】
【図１】本発明の実施形態１における室外機の透視斜視図
【図２】本発明の実施形態１における室外機の要部拡大図（ａ）蓄熱装置の固定を示す図、（ｂ）圧縮機の固定を示す図
【図３】本発明の実施形態１における室外機の上面視透視図
【図４】従来の蓄熱装置を示す図
【発明を実施するための形態】
【００１２】
第１の発明は、筐体に固定され、蓄熱槽の上面に当接する飛び出し防止具を備えることを特徴とする室外機とするもので、室外機が落下等により衝撃を受けた場合であっても、衝撃力により蓄熱槽が圧縮機から分離するのを、飛び出し防止具が防止するので、圧縮機と蓄熱槽との間の密着性の低下を抑制でき、圧縮機が運転時に発生する熱を蓄熱槽に十分に吸収させることができる。
【００１３】
第２の発明は、蓄熱槽は、圧縮機の外周方向の一部を切り欠いた形状であり、飛び出し防止具は、蓄熱槽の内壁に当接する係止片を備える室外機とするもので、振動等により圧縮機が蓄熱槽の開口部から外側に向けて転倒するのを有効に防止することができる。
【００１４】
第３の発明は、かかる室外機を備える空気調和機とすることで、信頼性に優れた空気調和機を得ることができる。
【００１５】
以下、本発明の実施の形態について、図面を参照しながら説明する。なお、この実施の形態によって本発明が限定されるものではない。
【００１６】
（実施の形態１）
図１は、本実施形態における室外機を示す図である。
【００１７】
室外機６は、筐体５、圧縮機１、蓄熱槽２３を備えた蓄熱装置２室外機ファン（図示せず）、蓄熱装置２を備えている。なお、図１では、理解を容易するため、筐体５の天板、筐体５の側壁の一部、ならびに室外機ファンの図示を省略している。
【００１８】
筐体５は、底板５１と図示しない側壁および天板とを備え、筐体５の内部には仕切り板４、圧縮機１、蓄熱装置２、室外機ファンが収容されている。
【００１９】
筐体５に収容される圧縮機１には従来公知の円柱形状のものを用いることができる。設置面積の効率化の観点から圧縮機１は長手方向が鉛直となるよう設置されている。
【００２０】
圧縮機１には圧縮機１の軸方向に断面視して半円筒状である蓄熱装置２が圧縮機１の外周表面に対してその一部を取り囲むように取り付けられ、圧縮機１の外周表面の一部に蓄熱装置２の内周表面の一部が密着している。圧縮機１が運転することで発熱した熱は蓄熱装置２に伝搬し、蓄熱装置２はこの熱を吸収し蓄熱する。
【００２１】
設置面積の効率化の観点から圧縮機１と同様に蓄熱装置２は長手方向が鉛直となるよう
設置されている。
【００２２】
この蓄熱装置は、樹脂等からなる容器体を組み立てた後、エチレングリコール水溶液等の蓄熱材を充填することにより製作することができる。
【００２３】
また、この圧縮機１は、不図示の吸込管と吐出管を備えており、吸込管から冷媒を吸い込み、冷媒を所定の圧力まで圧縮し、圧縮した冷媒を吐出管から吐出する。圧縮機１は、冷媒を圧縮する工程で温度が上昇し、周囲に熱を放出する。
【００２４】
圧縮機１の暖房能力を向上させるには、冷媒の温度は高い方が良い。また、圧縮機１の温度は運転のために所定の範囲の値である必要があるが、圧縮機１の運転を停止して放置すると、圧縮機１の温度が機能を果たすのに必要な温度以下にまで低下してしまい、再度運転する場合、圧縮機１の温度を圧縮機１が運転可能となる温度に再度上昇させるまで時間を要する。
【００２５】
暖房能力の向上、および運転停止後に再度運転するまでの時間を短縮するために、圧縮機１から放出された熱を蓄熱装置２で蓄熱し、圧縮機１の温度低下を緩やかなものとする。そのため圧縮機１からの放熱を蓄熱装置２で吸収・蓄熱している。  図２は、図１の要部拡大図であり、図２（ａ）は蓄熱装置２の固定を示す図、（ｂ）圧縮機１の固定を示す図である。
【００２６】
図２（ｂ）に示すように、圧縮機１は固定具７を介して筐体５の底板５１に固定されている。固定具７は支持板７１と、振動吸収ゴム７２と、ボルト７３と、ナット７４とからなる。
圧縮機１と固定具７とは、圧縮機１の底面と固定具７の支持板７１の上面とを例えば溶接するなどして、固定している。固定具７の支持板７１には挿通孔が設けられている。また一方、筐体５の底板５１にも、固定具７の支持板７１の挿通孔に対応する位置に、挿通孔が設けられている。固定具７の支持板７１の挿通孔と筐体５の底板５１の挿通孔とには、円筒形状の振動吸収ゴム７２が挿通され、さらに、円筒形状の振動吸収ゴムの貫通孔にはボルト７３が挿通され、固定具７の支持板７１と筐体５の底板５１とは緩やかに固定されている。
【００２７】
仕切り板４は、例えば樹脂からなり、筐体５の底板５１や側壁にビス留め等により確実に分離しないよう固定されており、室外機ファンによる風の流れを規制すると同時に、室外機ファンや圧縮機１が発生する音の伝搬を遮断する防音板としても機能する。
【００２８】
ここで、仕切り板４と、例えば金属製の飛び出し防止具３は、確実に分離しないよう固定される。
【００２９】
そのためには、例えば図２（ａ）に示すように、飛び出し防止具３の取り付け片３１を仕切り板４の圧縮機１側の表面にビス等で留めればよい。
【００３０】
なお、このように本実施形態では、飛び出し防止具３は仕切り板４を介して筐体５に固定されているが、飛び出し防止具３を仕切り板４を介さずに筐体５に直接ビス留め等により確実に固定するようにしてもよい。
【００３１】
飛び出し防止具３の当接片３２は、蓄熱装置２の上面２１に当接している。このため、室外機６が落下等による衝撃を受けた場合であっても、衝撃力により蓄熱装置２が圧縮機１から分離するのを、飛び出し防止具３が防止する。従って、圧縮機１と蓄熱装置２との間の密着性の低下を抑制でき、圧縮機１が運転時に発生する熱を蓄熱装置２に十分に吸収
させることができる。
【００３２】
なお、本実施の形態では、蓄熱装置２は、圧縮機１の軸方向に断面視して半円筒形状であるが、この他にも蓄熱装置２は、開口部を有する馬蹄形状であっても構わない。
【００３３】
また、圧縮機１の外周表面は、一部が外部に露出した状態となっており、圧縮機１にアキュームレータ１１が固定されている。アキュームレータ１１は、圧縮機１の冷媒吸入側に通常設けられており、液相冷媒と気相冷媒を分離し、気相冷媒を圧縮機１に供給する。
【００３４】
ここで、アキュームレータ１１が圧縮機１に固定されていることにより、圧縮機は重心が、蓄熱装置２の開口部側に移動している。しかし、飛び出し防止具３は、蓄熱装置２の内壁２２に当接する係止片３３を備え、振動等により圧縮機１が蓄熱装置２の開口部から外側に向けて転倒するのを有効に防止することができる。
【００３５】
アキュームレータ１１、固定具７の挿通孔、ならびに飛び出し防止具３の位置関係は、例えば図３（ａ）、（ｂ）に示すように配置することができるが、これに限らず、筐体の設計に応じて任意に配置することができる。なお、この図では、蓄熱装置２を透視している。
【００３６】
いずれにしても、飛び出し防止具３が設けられているため、ナットをボルト３箇所すべてに留める必要がなくなり、固定性に影響を与えず、安全性を損なうことなく、組み立てを容易にし、かつ、部品点数を下げることができる。
【００３７】
圧縮機１の上部には、圧縮機内部との空気のやり取りを行う配管が設けられているが、飛び出し防止具３が蓄熱装置２の内壁に当接しているので、圧縮機１の上部を跨いで圧縮機１の蓄熱装置２の開口部側の外表面を当接する必要がなく、配管やモーター駆動用の配線と干渉するのを防ぐことができる。
【００３８】
なお、本実施の形態における室外機６の製造方法としては、初めに、筐体５の底板５１を準備し、次に圧縮機１を固定具７を介して、筐体５の底板５１に取り付ける。その後、蓄熱装置２を圧縮機１の外周表面に密着させる。さらにその後、仕切り板４を筐体５に取り付けた後、飛び出し防止具３を仕切り板４に取り付ける。
【００３９】
最後に筐体５の底板５１に側板を取り付け、さらにかかる側板に天板を取り付ける。
以上により室外機６を製造することができる。
【産業上の利用可能性】
【００４０】
以上のように、本発明にかかる室外機は、衝撃に対して蓄熱槽が飛び出すことを防止することが可能となるので、蓄熱装置を有する冷凍サイクル装置等の用途に適用できる。
【符号の説明】
【００４１】
１  圧縮機
２  蓄熱装置
２１  蓄熱装置の上面
２２  蓄熱装置の内壁
２３  蓄熱槽
３  飛び出し防止具
３１  取り付け片
３２  当接片
３３  係止片
４  仕切り板
５  筐体
６  室外機
７  固定具
７１  支持板
７２  振動吸収ゴム
７３  ボルト
７４  ナット
【図３】
2012077936.tif 000003
【図４】
2012077936.tif 000004
【図１】
2012077936.tif 000005
【図２】
2012077936.tif 000006